(57)【特許請求の範囲】
【請求項１】
楽音の発音および消音の指示を入力し、発音指示に応じて、該発音指示に応じた、複数の単位楽音の複合からなる楽音を生成するとともに、消音指示に応じて、該消音指示に応じた楽音を消音する楽音生成装置において、
楽音の発音および消音の指示を入力する発音消音指示入力手段と、
生成する楽音の音量をリアルタイムに指示する音量指示手段と、
前記発音消音指示入力手段から発音指示が入力されたことと、前記音量指示手段から指示された音量が該発音指示に応じた楽音を構成する複数の単位楽音それぞれに応じた複数の第1の所定値それぞれ以上であることとの双方が満足されたことを受けて、該複数の単位楽音それぞれの生成を開始するとともに、前記発音消音指示入力手段から消音指示が入力されたこと、あるいは前記音量指示手段から指示された音量が、複数の単位楽音それぞれに応じた各第2の所定値以下に下がったこととのいずれか一方が満足されたことを受けて、該複数の単位楽音それぞれの消音を開始する発音制御手段とを備えたことを特徴とする楽音生成装置。
【請求項２】
楽音の発音および消音の指示を入力し、発音指示に応じて、該発音指示に応じた、複数の単位楽音の複合からなる楽音を生成するとともに、消音指示に応じて、該消音指示に応じた楽音を消音する楽音生成装置において、
生成する楽音の音量をリアルタイムに指示する音量指示手段と、
発音中の楽音を構成する複数の単位楽音それぞれの各音高を、前記音量指示手段から大きな音量が指示されるに従って、該複数の単位楽音それぞれに応じた各音高カーブに応じて低下させる音高制御手段とを備えたことを特徴とする楽音生成装置。
【発明の詳細な説明】
【０００１】
【発明の属する技術分野】
本発明は、楽音を生成する楽音生成装置に関する。
【０００２】
【従来の技術】
演奏者が手軽に音楽を楽しめる楽器としてアコーディオンが知られている。アコーディオンの演奏者はそのアコーディオンを膝の上に載せるか、丈夫な革紐で肩からつるしてフイゴを伸縮させることによって演奏を行う。このアコーディオンには両側に鍵盤が設けられており、それらの鍵盤が伸縮自在なフイゴによって連結されている。この両側に設けられた鍵盤のいずれかの鍵を押すと、その押鍵によってアコーディオン特有の楽音が発音される。このアコースティックアコーディオンはフリーリードを用いた気鳴楽器で、１つのリードが振動することによって１つの単位楽音が発音される。アコースティックアコーディオンの内部にはこのリードが多数配備されており、それぞれのリードによって異なる単位楽音がそれぞれ生成され、複合されて１つの楽音が生成される。
【０００３】
アコースティックアコーディオンの鍵盤の中の１つの鍵が押鍵され、その押鍵された鍵に対応する楽音が生成されるときには押鍵に応じて開く弁によって複数のリードへ空気が供給される。この弁は鍵盤装置の鍵に対応して複数配備されており、いずれかの鍵の押鍵あるいは離鍵に応じて開閉が自在になっている。それらの弁にはそれぞれの鍵に対応する楽音の基音および倍音の発音が可能な複数のリードがそれぞれ繋がっている。したがって、いずれかの鍵が押鍵され、フイゴが伸縮自在に操作されると、それらの複数の弁のうち、その鍵に対応する弁が開き、その弁を通して、その鍵で指定される楽音に対応する、基音および倍音の発音が可能な複数のリードに空気が供給される。その供給された空気によって複数のリードがそれぞれ振動し、１つの楽音が発音される。
【０００４】
このようなアコースティックアコーディオンの楽音の生成が可能な電子楽器が出現してきている。
【０００５】
【発明が解決しようとする課題】
しかし、アコースティックなアコーディオンに配備されている複数のリードおよび弁、またフイゴは機構部品であって、それらの機構部品が作用して楽音が発音されるときにはフイゴの伸縮操作によって供給される空気の量によって音量または音高が変わる。
【０００６】
そこで本発明では、複数の弁およびリードあるいはフイゴといったアコースティックアコーディオンの構成要素である機構部品の特性を踏まえ、より原音に近い楽音の生成が可能な楽音生成装置を提供することを目的とする。
【０００７】
【課題を解決するための手段】
本発明の第１の楽音生成装置は、楽音の発音および消音の指示を入力し、発音指示に応じて、その発音指示に応じた、複数の単位楽音の複合からなる楽音を生成するとともに、その消音指示に応じて消音指示に応じた楽音を消音する楽音生成装置において、
楽音の発音および消音の指示を入力する発音消音指示入力手段と、
生成する楽音の音量をリアルタイムに指示する音量指示手段と、
発音消音指示入力手段から発音指示が入力されたことと、音量指示手段から指示された音量がその発音指示に応じた楽音を構成する複数の単位楽音それぞれに応じた複数の第1の所定値それぞれ以上であることとの双方が満足されたことを受けて、該複数の単位楽音それぞれの生成を開始するとともに、発音消音指示入力手段から消音指示が入力されたこと、あるいは音量指示手段から指示された音量が、複数の単位楽音それぞれに応じた複数の第2の所定値それぞれ以下に下がったことのいずれか一方が満足されたことを受けて、それら複数の単位楽音それぞれの消音を開始する発音制御手段とを備えたことを特徴とする。
【０００８】
本発明の第1の楽音生成装置によれば、一つの楽音発生指示に応じて複数の単位楽音を発生させるが、その生成を開始する音量の値が、単位楽音によりそれぞれ異なるとともに、消音させる音量の値も単位楽音によりそれぞれ異なるという従来にない特質を有する。
【０００９】
本発明の第2の楽音生成装置は、楽音の発音および消音の指示を入力し、発音指示に応じて、その発音指示に応じた、複数の単位楽音の複合からなる楽音を生成するとともに、消音指示に応じてその消音指示に応じた楽音を消音する楽音生成装置において、
生成する楽音の音量をリアルタイムに指示する音量指示手段と、
発音中の楽音を構成する複数の単位楽音それぞれの各音高を、音量指示手段から大きな音量が指示されるに従ってそれら複数の単位楽音それぞれに応じた各音高カーブに応じて低下させる音高制御手段とを備えたことを特徴とする。
【００１０】
本発明の第２の楽音生成装置によれば、一つの楽音発生指示に応じて複数の単位楽音を発生させるが、それぞれの音高は、音量によりそれぞれ変化するという従来にない特質を有する。
【００１１】
【発明の実施の形態】
以下、本発明の実施形態について説明する。
【００１２】
図１は、本発明の一実施形態を示す楽音生成装置の外観を示す図である。
【００１３】
楽音生成装置１には、鍵盤２が伸縮自在なフイゴ６を挟んで両側に設けられている。そのフイゴ６の両側に設けられた鍵盤２のいずれかの鍵３を押鍵し、フイゴ６を操作すると、その押鍵された鍵に応じた楽音が発音される。この楽音の音量の調整はフイゴの部分に設けられた圧力検出器７の空気の圧力の検出結果に基づいて行われる。
【００１４】
鍵盤２はフイゴ６を挟んで両側に設けられており、鍵盤２の説明が混乱する恐れがあるので、以降の説明では演奏者が本実施形態のアコーディオンを演奏するときにどちらの手で操作するかを示し、図１の左側に示した鍵盤２は右手で操作するためこれを右手側と記載し、図１の右側に示した鍵盤を左手で操作するためこれを左手側と記載して説明する。
【００１５】
右手側の鍵盤２には半音ごとに楽音の生成指示を与えるための鍵３が複数設けられており、左手側には同じく楽音生成装置１に和音の生成指示を与えるための鍵３が複数設けられている。それぞれの鍵３には操作検出器８がそれぞれ設けられており、この操作検出器８によって検出される検出信号によってＭＩＤＩ信号の中の発音指示に係るＮｏｔｅＯＮ情報に対応するコードあるいは消音指示に係るＮｏｔｅＯＦＦ情報に対応するコードがそれぞれ作成される。以降の説明においてはそれぞれのコードをＮｏｔｅＯＮ情報、ＮｏｔｅＯＦＦ情報と記載する。
【００１６】
さらにこの右手側、左手側には音色設定部４も設けられており、音色の指定も行えるようになっている。この音色設定部４には異なる音色の生成が可能な音色切替スイッチ５が多数設けられており、その音色切替スイッチ５のオン・オフを検出するための検出器９もそれぞれ設けられている。この検出器９から出力される検出信号に基づいてＭＩＤＩ信号の中のプログラムチェンジ（以下ＰＣという）に対応するコードが作成される。このＰＣに対応するコードで示される音色データのことを以降の説明ではＰＣ情報と記載する。
【００１７】
アコースティックアコーディオンでは空気の流れによって複数のリードが振動して楽音が生成される。その空気の流量（供給量）を調整するものがフイゴ６で、このフイゴ６の伸縮のさせ方によって音量がリアルタイムに変化する。本実施形態では、このフイゴ６が本発明にいう音量指示手段の一例に当たる。このフイゴ６の伸縮に応じて音量を変化させるときにはフイゴ６の部分に配備されている圧力検出器７の出力信号に基づいてＭＩＤＩ信号の中のコントロールチェンジ（以下、ＣＣという）に対応するコードが作成される。つまり、空気の供給量を圧力検出器７によって検出し、この圧力検出器７の出力信号に基づくＣＣに対応するコードを音量データとしている。このＣＣに対応するコードのことを以降の説明ではＣＣ情報と記載する。
【００１８】
図２は楽音生成装置の信号処理の構成を示すブロック図である。
【００１９】
図２に示すように本実施形態の楽音生成装置１は、鍵盤装置１０と楽音を生成する音源１２とを備えている。鍵盤装置１０のＭＩＤＩインタフェース１１と音源１２のＭＩＤＩインタフェース１３とはバスによって繋がれており、音源１２の制御部１６にはＣＰＵとＲＯＭとＲＡＭとが備えられている。また、この制御部１６には音源機能を実現するＤＳＰも備えられており、このＤＳＰはＣＰＵによって制御される。なお、このＤＳＰによって後述する楽音生成器１７と混合器１４とが構成されている。
【００２０】
まず、鍵盤装置１０から説明する。
【００２１】
発音指示および消音指示を行う鍵３（図１参照）にはそれぞれ操作検出器８が設けられている。これらの操作検出器８から右手側の鍵３または左手側の鍵３の押鍵あるいは離鍵状況に応じた検出信号が出力される。これらの検出信号に基づいてＭＩＤＩ信号の中のＮｏｔｅＯＮ情報、ＮｏｔｅＯＦＦ情報がそれぞれ鍵盤装置１０によって作成される。本実施形態では、これらの鍵３が本発明にいう発音・消音指示手段の一例に相当する。また音色の設定が自在な各音色切替スイッチ５（図１参照）にはそれらの音色切替スイッチ５ごとに検出器９が設けられており、それらの検出器９から各音色切替スイッチ５の操作に応じた検出信号が各々出力される。それらの検出信号に基づいて音色データを示すＰＣ情報が鍵盤装置１０によって作成される。
【００２２】
また圧力検出器７の出力信号に基づくＣＣ情報も鍵盤装置１０によって作成される。これらのＭＩＤＩ信号が鍵盤装置１０から音源１２側へ出力される。
【００２３】
この鍵盤装置１０から出力される時系列のＭＩＤＩ信号が音源１２に入力されて楽音の生成が次々と行われる。
【００２４】
この音源１２には音源１２の制御部１６によって制御される複数の楽音生成器１７が備えられており、ここでは一例として４つの楽音生成器１７を図示してある。それらの楽音生成器１７の１つ１つでそれぞれのリードに対応する単位楽音波形が出力される。
【００２５】
一方、音源１２の記憶部１５には複数の単位楽音それぞれを生成する複数の単位楽音波形が記憶されており、この記憶部１５に記憶された単位楽音波形のいずれかが音源１２の制御部１６によって読み出され、それぞれの楽音生成器１７から出力される。この音源１２ではそれぞれの楽音生成器１７からそれぞれのリードに対応する単位楽音波形が出力可能であり、後段の混合器１４によって複数の単位楽音波形が混合される。このようにして複数の単位楽音波形が混合された楽音波形が生成され、後段のアンプ（図示せず）へと出力される。
【００２６】
なお記憶部１５には、アコースティックアコーディオンのそれぞれのリードに対応する単位楽音波形がサンプリングされた原波形が記憶されているだけでなく、そのほかにノイズ音も記憶されている。このノイズ音には弁が閉じるときの金属音などがあり、消音時に音源１２の制御部１６によってそのバルブの金属音が付加される。
【００２７】
また、音源１２の制御部１６では音量の制御も行なわれる。このときには制御部１６の中のＤＳＰによってそれぞれの単位楽音波形の振幅が調整され、それぞれの単位楽音波形の音量が制御される。この音源１２の制御部１６が本実施形態では発音制御手段の一例に相当する。
【００２８】
また、アコースティックアコーディオンではフイゴ６（図１参照）の操作によってリードに供給される空気の量が増えてくると音高が低下する特性もある。ここではこのフイゴ６の操作に応じて圧力検出器７で検出される圧力データに基づいて音源１２の制御部１６の中のＤＳＰによって音高の制御が行われる。この音源１２の制御部１６が本実施形態では、本発明にいう音高制御手段の一例にも相当する。
【００２９】
ここでアコースティックアコーディオンの楽音の発音時および消音時の特性について図３〜図５を参照して説明する。
【００３０】
まず図３を参照してアコースティックアコーディオンの内部に配備されるそれぞれのリードのうち、１つのリードを例に挙げ、そのリードの特性を説明する。図３の横軸にフイゴによる圧力の大きさが、単位楽音の音量が縦軸に示してある。本実施形態では、図３中に示されている発音が開始されるときの圧力値Ｐｏｎが本発明でいう第１の所定値に当たり、リードの振動が止まり、発音中の楽音が消音されてしまうときの圧力値Ｐｏｆｆが本発明でいう第２の所定値に当たる。本実施形態の楽音生成装置では、これらの圧力値Ｐｏｎ、Ｐｏｆｆに基づいて発音開始および消音開始が音源１２の制御部１６（図２参照）によって制御される。
【００３１】
図３に示すように押鍵が行われることによって鍵に対応する弁が開き、かつフイゴが操作され、リードに加えられる圧力が徐々に大きくなっていく場合を考える。このとき、圧力が発音の開始される圧力値Ｐｏｎを超えたらリードが振動を開始し、そのリードに対応する単位楽音の発音が行われる。そして押鍵されたままで、かつフイゴが操作され続けて、リードに圧力がさらに加わり、そのリードに加えられる圧力がその圧力値Ｐｏｎよりも大きくなるとリードが大きく振動し始め、発音中の単位楽音の音量が大きくなっていく。次に、押鍵されたまま、フイゴの操作が緩められると、リードに加えられる圧力が低下していき、その圧力値Ｐｏｆｆを下回るとリードが振動しなくなる。
【００３２】
つまり、リードには慣性があり、そのリードが一旦振動を始めるとフイゴの操作が多少緩められてもそのままリードが振動を続けるという特性がある。このため発音が開始されるときの圧力値Ｐｏｎよりも小さな圧力値Ｐｏｆｆを下回ったとき消音する。
【００３３】
このようなリードの特性を、本発明の楽音生成装置では、楽音の発音が開始されるときの圧力値Ｐｏｎと発音中の楽音が消音されてしまうときの圧力値Ｐｏｆｆとの間にヒステリシス特性を持たせることによって模擬し、音源１２の制御部１６（図２参照）によって単位楽音の発音と消音の制御を行っている。
【００３４】
なお、図３に示したヒステリシス特性は１つのリードの代表的な特性であり、他のリードにおいても同様の特性を有する。他のリードにおいては発音が開始されるときの圧力値Ｐｏｎおよび消音されてしまうときの圧力値Ｐｏｆｆがそれぞれのリードの寸法によってそれぞれ異なる。
【００３５】
図４は各フィートのリードのＰｏｎにおけるフイゴの圧力と音量との関係を示す図である。図４の横軸にはフイゴの操作による圧力が、縦軸には音量がそれぞれ示されている。
【００３６】
図４中に記載してある１６′，８′…２′２／３の符号はそれぞれフィートを示しており、それぞれのフィートはそれぞれ１つのリードに対応する。それぞれのフィートに対応するそれぞれのリードによって、楽音の倍音がそれぞれ発音される。なお、ここでいうフィートとはもともとアコースティックアコーディオンの内部に配備されるリードの、パイプオルガンにちなんだ寸法を示す単位であり、このフィートが大きいほど低域の楽音が生成される。
【００３７】
図４では、リードの寸法が大きいほど、発音が開始されるときの圧力値Ｐｏｎおよび消音されるときの圧力値Ｐｏｆｆが小さい事が示されている。このようなリードの特性も本発明の楽音生成装置では音源１２の制御部１６によって制御される。
【００３８】
図５はアコースティックアコーディオンの、フイゴの操作による圧力とリードの振動数の特性を示した図である。図５の横軸にはフイゴの操作による空気の圧力が、縦軸には振動数がそれぞれ示されている。
【００３９】
図５には、フイゴ６の圧力が上がるに従ってそれぞれのリードの振動数がＩだけ低下する特性が示されている。この振動数の低下は低域の楽音が発音されるリードになるほど大きい。このようなそれぞれのリードの音高の低下も音源１２の制御部１６で制御される。
【００４０】
図６は図３で説明したリードのヒステリシス特性を本楽音生成装置によって模擬したときの動作を示すタイミングチャートである。図６（ａ）はフイゴ６が操作されているときの圧力データの変化を示す図であり、また図６（ｂ）は時間の経過に応じてＤＳＰ内の乗算器に与えられる乗算係数Ｎの変化を示す図であり、さらに図６（ｃ）は押鍵から離鍵までの時間の経過を示す図である。
【００４１】
図６（ａ）、（ｂ）、（ｃ）とも横軸には時間が示されており、図６（ａ）の縦軸には圧力Ｐが、図６（ｂ）の縦軸には乗算係数Ｎが、図６（ｃ）の縦軸には押鍵中であるか否かを示すＴがそれぞれ示されている。なお図６には１つの単位楽音の特性を掲げてある。
【００４２】
図６（ａ）に示すように圧力データが圧力値Ｐｏｎを超えると時刻ｔ０に押鍵された鍵に対応する複数の単位楽音のうち、図６を参照して説明しようとしている１つの単位楽音の発音が時刻ｔ１に開始される。そして発音が開始されると徐々に音量が増加するような制御が音源１２の制御部１６（図２参照）によって行われる。
【００４３】
この単位楽音の発音の制御は音源の制御部の中のＤＳＰ内の乗算器によって行われており、ＤＳＰ内の乗算器には単位楽音波形にフイゴの圧力を乗算することによって音量を制御するものと、フイゴの圧力が乗算された単位楽音波形にさらに図６（ｂ）の乗算係数Ｎを乗算するものとが直列に接続されており、これらの乗算器が各単位楽音ごとに設けられ、それぞれの単位楽音の音量が制御される。
【００４４】
なお、図６（ｂ）に示すように時刻ｔ１から時間の経過に応じて指数カーブＳで乗算係数Ｎを増加させ、この乗算係数Ｎを単位楽音波形の振幅に乗算することが行われる。ここで指数カーブＳとは一次の指数関数（ｅｘｐ）を指す。
【００４５】
ここで同じ鍵の従前の発音停止時刻から発音開始時刻までの時間の逆数を用い、同じ鍵が短い時間間隔で押鍵されたら、早めに発音が行われるように、また同じ鍵が長い時間間隔で押鍵されたらゆっくりと発音が行われるようにカーブＳを変更する。
【００４６】
また同鍵が所定の時間内に繰り返し押鍵される回数より、押鍵数の時間密度を決め、密度が高いと、早めに発音が行われるよう、反対に密度が低いと、ゆっくり発音が行われるようにカーブＳを変更する。さらにフイゴの圧力が大きいと、早めに発音が行われるよう、反対に小さいとゆっくり発音が行われるようにカーブＳを変更してもよい。
【００４７】
次に消音の制御について説明する。
【００４８】
鍵盤装置２の鍵３（図１参照）のいずれかが押鍵されたままの状態でフイゴ６の操作が緩められると、圧力が低下してくる。そのときの圧力を示す圧力データが圧力値Ｐｏｆｆを下回ったときには時刻ｔ３で発音中の単位楽音の消音が開始される。このときには指数カーブＳで減衰する乗算係数Ｎによって発音中の単位楽音の音量が徐々に小さくなるように制御が行われ、発音中の単位楽音の消音が行われる。このときに発音開始時刻ｔ１から発音停止時刻ｔ３までの持続時間に反比例する値を用いて発音持続時間が長い場合にはゆっくりと消音が行われるように、また発音持続時間が短い場合にはすぐに消音が行われるようにカーブＳを変更する。さらにフイゴの圧力が大きいほど音量が徐々に小さくなるようカーブＳを変更しても良い。
【００４９】
その後で図６（ｃ）に示すように時刻ｔ５で離鍵が行われている。
【００５０】
図６（ｃ）ではフイゴ６の操作が緩められて空気の量が減って圧力が低下し、それぞれの単位楽音の消音が行われた様子が示されているが、離鍵が行われたときにも消音が行われる。このときにはＤＳＰ内の各単位楽音波形が通過するそれぞれの乗算器に上記指数カーブＳにしたがって音量が徐々に小さくなっていくような乗算係数Ｎが与えられる。
【００５１】
このように発音時には指数カーブＳに基づいて音量が徐々に大きくなるように音源１２の制御部１６によって音量が制御され、圧力データが圧力値Ｐｏｆｆを下回った場合あるいは離鍵が行われた場合には、指数カーブＳにしたがって音量が徐々に小さくなるように音源１２の制御部１６によって各単位楽音の音量が制御される。
【００５２】
図７は図２に示した音源１２の制御部１６で行われる処理の手順を示すフローチャートである。このフローチャートには本実施形態の楽音生成装置で演奏が行われるときの処理が示してある。
【００５３】
まず、ステップＳ７０１では電源投入時の初期化が行われる。ステップＳ７０２ではＮｏｔｅＯＮ情報が音源１２に入力されたかどうかが判定される。ここで入力されたと判断すると、ステップＳ７０３へ処理が進む。ステップＳ７０３ではＮｏｔｅＯＮ情報に基づく発音指示が予約される。ここで予約とは各ノート毎に割り当てられたメモリにフラグを立てることである。
【００５４】
ステップＳ７０４では、ＮｏｔｅＯＦＦ情報が音源１２に入力されたかどうかが判定される。ここで入力されたと判断すると、ステップＳ７０５へ処理が進む。ステップＳ７０５ではＮｏｔｅＯＦＦ情報により指示される音高の楽音を生成しているすべてのフィートを発音中の楽音生成器１７に対し消音指示が行われるとともにフラグをリセットする。
【００５５】
ステップＳ７０６では、ＣＣ情報が音源１２に入力されたどうかが判定される。ここで入力されたと判断すると、ステップＳ７０７へ処理が進む。ステップＳ７０７では、入力したＣＣ情報に基づきＣＣの値を更新する。また、発音中の楽音生成器１７に対して図３、図４に基づく振幅の制御、及び図５に基づく音高の制御が行われる。すなわち、制御部１６には、各フィート毎に、ＣＣの値に対し、音量および振動数のテーブルが記憶されていて、ＣＣの値に応じて、各楽音生成器１７にその音量および振動数を指示する。
【００５６】
ステップＳ７０８では、ＰＣ情報が音源１２に入力されたかどうかが判定される。ここで入力されたと判断すると、ステップＳ７０９へ処理が進む。ステップＳ７０９では、ＰＣ情報の更新を行うとともに、更新後の音色（ＰＣ情報）では発音しない単位楽音について、発音中のものは楽音生成器１７に対して消音指示を行うとともに、新たに発音すべき単位楽音についてＣＣ＞Ｐｏｎとなるものは発音指示を出す。
【００５７】
ステップＳ７１０では予約された音高毎に、ＰＣ情報で指示されている各フィート毎のＰｏｎ値とを比較する。ここでＣＣ＞Ｐｏｎとなる単位楽音があれば、ステップＳ７１１へ処理が進み、その単位楽音に対し発音を開始するよう楽音生成器１７に対し発音指示する。
【００５８】
ステップＳ７１２では予約された音高毎に、ＰＣ情報で指示されている各フィート毎のＰｏｆｆ値とを比較する。ここで、ＣＣ＜Ｐｏｆｆとなる単位楽音があれば、ステップＳ７１３へ処理が進み、その単位楽音に対し消音するよう、楽音生成器１７に対し消音指示する。
【００５９】
ステップＳ７１４では、その他の処理が行われ、ステップＳ７０２へ戻され、電源切断時までＳ７０２からＳ７１４の処理が繰り返し行われる。
【００６０】
以上説明したように、本発明の楽音生成装置によれば、一つの楽音生成指示に応じて複数の単位楽音を発生させる場合、その生成を開始する音量の値、及び消音させる音量の値が、単位楽音によりそれぞれ異なるとともに、生成する楽音の音高と音量の関係が、単位楽音によりそれぞれ異なるという従来にない特質を有する。
【００６１】
【発明の効果】
以上説明したように、本発明によれば、従来にない特質を有した楽音生成装置を提供することができる。
【図面の簡単な説明】
【図１】本発明の一実施形態の楽音生成装置の外観を示す図である。
【図２】図１の楽音生成装置の内部構成を示すブロック図である。
【図３】アコースティックアコーディオンの単位楽音を構成するリードの発音時および消音時の特性を説明する図である。
【図４】アコースティックアコーディオンの、圧力を徐々に高くしていく場合の各フィートのリードのフイゴの圧力と音量との関係を示した図である。
【図５】アコースティックアコーディオンの、それぞれのリードの振動数が変化するときの特性を示した図である。
【図６】図３の特性を図２に示した音源の制御部で模擬し、発音・消音を制御したときのタイミングチャートである。
【図７】図２に示した音源１２の制御部１６で行われる処理の手順を示すフローチャートである。
【符号の説明】
１  楽音生成装置
２  鍵盤
３  鍵
４  音色設定部
５  音色スイッチ
６  フイゴ
７  圧力検出器
８  操作検出器
９  検出器
１０  鍵盤装置
１１  ＭＩＤＩインタフェース
１２  音源
１３  ＭＩＤＩインタフェース
１４  混合器
１５  記憶手段
１６  制御部
１７  楽音生成器（チャンネル）
【図１】
0004112268.tif 000002
【図２】
0004112268.tif 000003
【図３】
0004112268.tif 000004
【図４】
0004112268.tif 000005
【図５】
0004112268.tif 000006
【図６】
0004112268.tif 000007
【図７】
0004112268.tif 000008